【手続補正書】
【提出日】平成26年6月2日(2014.6.2)
【手続補正１】
【補正対象書類名】特許請求の範囲
【補正対象項目名】全文
【補正方法】変更
【補正の内容】
【特許請求の範囲】
【請求項１】
皮脂汚れ成分存在下において、４−メチル−３−ヘキセン酸を生成する微生物を被験物質と接触させ、
前記微生物による４−メチル−３−ヘキセン酸の生成を検知し、
生乾き臭抑制剤として、４−メチル−３−ヘキセン酸の生成を抑制する被験物質を選択する、
生乾き臭抑制剤である被験物質のスクリーニング方法。
【請求項２】
前記皮脂汚れ成分がアンテイソ脂肪酸である、請求項１に記載のスクリーニング方法。
【請求項３】
前記微生物及び前記被験物質を、皮脂汚れ成分を含む繊維製品に添加して互いに接触させる、請求項１又は２に記載のスクリーニング方法。
【請求項４】
前記繊維製品が木綿の使用済繊維製品である、請求項３に記載のスクリーニング方法。
【請求項５】
皮脂汚れ成分を含む溶液又は固体において前記微生物及び前記被験物質を互いに接触させる、請求項１又は２に記載のスクリーニング方法。
【請求項６】
前記微生物が、モラクセラ（Moraxella）属細菌、アシネトバクター（Acinetobacter）属細菌、シュードモナス（Pseudomonas）属細菌、バチルス（Bacillus）属細菌、スフィンゴモナス（Sphingomonas）属細菌、キュープリアビダス（Cupriavidus）属細菌、ラルストニア（Ralstonia）属細菌、サイクロバクター（Psychorobacter）属細菌、セラチア（Serratia）属細菌、エシェリキア（Escherichia）属細菌、スタフィロコッカス（Staphylococcus）属細菌、ブルクホルデリア（Burkholderia）属細菌、サッカロマイセス（Saccaromyces）属酵母、及びロドトルラ（Rhodotorula）属酵母からなる群より選ばれる少なくとも１種以上の微生物である、請求項１〜５のいずれか１項に記載のスクリーニング方法。
【請求項７】
前記微生物が、モラクセラ・エスピー（Moraxella  sp．）、モラクセラ・オスロエンシス（Moraxella osloensis）、アシネトバクター・レイディオレジステンス（Acinetobacter radioresistens）、アシネトバクター・ジュニイ（Acinetobacter junii）、アシネトバクター・カルコアセティカス（Acinetobacter calcoaceticus）、セラチア・マルセセンス（Serratia marcescens）、エシェリキア・コーライ（Escherichia coli）、スタフィロコッカス・アウレウス（Staphylococcus aureus）、シュードモナス・アルカリゲネス（Pseudomonas alcaligenes）、バチルス・セレウス（Bacillus cereus）、バチルス・サブティリス（Bacillus subtilis）、サイクロバクター・パシフィセンシス（Psychrobacter pacificensis）、サイクロバクター・グラシンコラ（Psychrobacter glacincola）、スフィンゴモナス・ヤノイクヤエ（Sphingomonas yanoikuyae）、ラルストニア  エスピー（Ralstonia  sp.）、サッカロマイセス・セレビジエ（Saccaromyces cerevisiae）、ロドトルラ・ムシラギノーサ（Rhodotorula mucilaginosa）、ロドトルラ・スルーフィエ（Rhodotorula slooffiae）、キュープリアビダス・オキサラティカス（Cupriavidus oxalaticus）及びブルクホルデリア・セパシア（Burkholderia cepacia）からなる群より選ばれる少なくとも１種以上の微生物である、請求項１〜６のいずれか１項に記載のスクリーニング方法。
【請求項８】
皮脂汚れ成分の存在下において、４−メチル−３−ヘキセン酸を生成する微生物を被験物質と接触させ、
前記微生物による４−メチル−３−ヘキセン酸の生成を検知し、
４−メチル−３−ヘキセン酸の生成を抑制する場合に、該被験物質を生乾き臭抑制剤として評価する、
被験物質の生乾き臭抑制剤としての評価方法。
【請求項９】
前記皮脂汚れ成分がアンテイソ脂肪酸である、請求項８記載の評価方法。
【請求項１０】
前記微生物及び前記被験物質を、皮脂汚れ成分を含む繊維製品に添加して互いに接触させる、請求項８又は９に記載の評価方法。
【請求項１１】
前記繊維製品が木綿の使用済繊維製品である、請求項１０に記載の評価方法。
【請求項１２】
皮脂汚れ成分を含む溶液又は固体において前記微生物及び前記被験物質を互いに接触させる、請求項８又は９に記載の評価方法。
【請求項１３】
前記微生物が、モラクセラ（Moraxella）属細菌、アシネトバクター（Acinetobacter）属細菌、シュードモナス（Pseudomonas）属細菌、バチルス（Bacillus）属細菌、スフィンゴモナス（Sphingomonas）属細菌、キュープリアビダス（Cupriavidus）属細菌、ラルストニア（Ralstonia）属細菌、サイクロバクター（Psychorobacter）属細菌、セラチア（Serratia）属細菌、エシェリキア（Escherichia）属細菌、スタフィロコッカス（Staphylococcus）属細菌、ブルクホルデリア（Burkholderia）属細菌、サッカロマイセス（Saccaromyces）属酵母、及びロドトルラ（Rhodotorula）属酵母より選ばれる少なくとも１種以上の微生物である、請求項８〜１２のいずれか１項に記載の評価方法。
【請求項１４】
前記微生物が、モラクセラ・エスピー（Moraxella  sp．）、モラクセラ・オスロエンシス（Moraxella osloensis）、アシネトバクター・レイディオレジステンス（Acinetobacter radioresistens）、アシネトバクター・ジュニイ（Acinetobacter junii）、アシネトバクター・カルコアセティカス（Acinetobacter calcoaceticus）、セラチア・マルセセンス（Serratia marcescens）、エシェリキア・コーライ（Escherichia coli）、スタフィロコッカス・アウレウス（Staphylococcus aureus）、シュードモナス・アルカリゲネス（Pseudomonas alcaligenes）、バチルス・セレウス（Bacillus cereus）、バチルス・サブティリス（Bacillus subtilis）、サイクロバクター・パシフィセンシス（Psychrobacter pacificensis）、サイクロバクター・グラシンコラ（Psychrobacter glacincola）、スフィンゴモナス・ヤノイクヤエ（Sphingomonas yanoikuyae）、ラルストニア  エスピー（Ralstonia  sp.）、サッカロマイセス・セレビジエ（Saccaromyces cerevisiae）、ロドトルラ・ムシラギノーサ（Rhodotorula mucilaginosa）、ロドトルラ・スルーフィエ（Rhodotorula slooffiae）、キュープリアビダス・オキサラティカス（Cupriavidus oxalaticus）及びブルクホルデリア・セパシア（Burkholderia cepacia）からなる群より選ばれる少なくとも１種以上の微生物である、請求項８〜１３のいずれか１項に記載の評価方法。